(57)【要約】  被照射面における照度分布を最適にするような光学素子を提供する。入射面と、該入射面を覆う射出面と、を備えた光学素子であって、該光学素子の中心軸をｚ軸とし、仮想的な光源の発光箇所を含み、該平面に平行な面とｚ軸との交点を原点とし、原点を通りｚ軸に垂直なｘ軸及びｙ軸を定め、該入射面は、ｚ軸との交点を頂点とするキャップ状であり、該射出面は、ｚ軸の周辺で該入射面側に窪んでおり、その周囲に外側に凸の部分を含み、ｚ軸を含む断面において、原点から出てｚ軸とθrの角度の方向に進む仮想的な光線が、該入射面を通過した後にｚ軸方向となす角度をθiとし、さらに該射出面を通過した後にｚ軸方向となす角度をθeとして、θr≦１０°において、常にθe／θｒ≧３であり、θe／θｒの最大値が４以上であり、２０°≦θrにおいて、常にθe／θｒ＜３であるように構成された光学素子。
2015005424.tif 000002
【特許請求の範囲】
【請求項１】
平面に配置された仮想的な光源を覆うように形成された入射面と、該入射面を覆う射出面と、を備え、該仮想的な光源からの光が該入射面及び該射出面を通過した後、外部に照射されるように構成された光学素子であって、
ｚ軸を該光学素子の中心軸とし、原点を、該仮想的な光源の発光箇所を含み、該平面に平行な面とｚ軸との交点とし、ｘ軸及びｙ軸を、原点を通りｚ軸に垂直な互いに直交する２直線として、
該入射面は、ｚ軸との交点を頂点とするキャップ状であり、該射出面は、ｚ軸の周辺で該入射面側に窪んでおり、その周囲に外側に凸の部分を含み、
ｚ軸を含む断面において、原点から出てｚ軸とθrの角度の方向に進む仮想的な光線が、該入射面を通過した後にｚ軸方向となす角度をθiとし、さらに該射出面を通過した後にｚ軸方向となす角度をθeとして、
θr≦１０°において、常にθe／θｒ＞３であり、θe／θｒの最大値が４より大きく、
２０°≦θrにおいて、常にθe／θｒ＜３であるように構成された光学素子。
【請求項２】
原点から、該入射面の該頂点までの距離をｈとし、ａ及びｃを定数として、ｘ軸及びｚ軸を含む断面において、該入射面の、θr≦５°の領域の断面形状を、最小二乗法によって、２次関数
ｚ＝Ａｘ２＋Ｃ
でフィッティングした場合に、
Ａ／ｈ＜−０．２
を満足するように該入射面が構成された請求項１に記載の光学素子。
【請求項３】
平面に配置された光源と該光源を覆う請求項１または２に記載の光学素子とを含む照明装置。
【請求項４】
光源から該入射面及び該射出面を通過して、光源から１８ミリメータの位置に配置された被照射面に到達する直接光のｘ軸方向の照度分布が、２個のピークを有するように構成された請求項３に記載の照明装置。
【発明の詳細な説明】
【技術分野】
【０００１】
本発明は、光学素子及び該光学素子を含む照明装置に関する。
【背景技術】
【０００２】
近年、照明用にＬＥＤ（発光ダイオード）光源が多く使用されている。ＬＥＤ光源は、前方に照射される光の割合が高いので、ＬＥＤ光源からの光を拡散させる光学素子がＬＥＤ光源と組み合わせて使用される場合が多い。特に、広い範囲を照射する、バックライト用などの照明ユニットの光源としてＬＥＤ光源を使用する場合には、少ない数のＬＥＤ光源でコンパクトな照明ユニットを実現するために、ＬＥＤ光源からの光を広い角度に拡散させる光学素子が使用されている。【０００３】
バックライト照明ユニットには、拡散板などの側面に光源を配置し導光板の原理で前面を照射するエッジライト方式と、被照射面の直下に複数の光源を配置する直下型方式との二つがある。【０００４】
ここで、直下型方式のバックライト照明ユニットにおいて、被照射面を照射する光は、光源から放出された後、光学素子を通過して直上の被照射面に到達する直接光の他に、光源から放出された後、光学素子の面で反射され、さらに反射されて被照射面に到達する間接光を含む。【０００５】
光源からの光を拡散させる従来の光学素子は、直接光による被照射面における照度が、光源の直上位置からの距離にしたがって単調に減少するような分布になるように構成されたものであった（たとえば、特許文献１）。【０００６】
しかし、本願発明者は、間接光の影響を考慮すると、直接光による被照射面における照度を、光源の直上位置からの距離にしたがって単調に減少するような分布とすることは必ずしも好ましいことではないとの新たな知見を得た。【０００７】
このように、間接光の影響を考慮して、直接光と間接光を合わせた全体光による被照射面における照度分布を最適にするような光学素子は開発されていない。
【先行技術文献】
【特許文献】
【０００８】
【特許文献１】特開２００９−４４０１６号公報
【発明の概要】
【発明が解決しようとする課題】
【０００９】
そこで、間接光の影響を考慮して、直接光と間接光を合わせた全体光による被照射面における照度分布を最適にするような光学素子及び照明装置に対するニーズがある。
【課題を解決するための手段】
【００１０】
本発明の第１の態様の光学素子は、平面に配置された仮想的な光源を覆うように形成された入射面と、該入射面を覆う射出面と、を備え、該仮想的な光源からの光が該入射面及び該射出面を通過した後、外部に照射されるように構成された光学素子であって、ｚ軸を該光学素子の中心軸とし、原点を、該仮想的な光源の発光箇所を含み、該平面に平行な面とｚ軸との交点とし、ｘ軸及びｙ軸を、原点を通りｚ軸に垂直な互いに直交する２直線として、該入射面は、ｚ軸との交点を頂点とするキャップ状であり、該射出面は、ｚ軸の周辺で該入射面側に窪んでおり、その周囲に外側に凸の部分を含み、ｚ軸を含む断面において、原点から出てｚ軸とθrの角度の方向に進む仮想的な光線が、該入射面を通過した後にｚ軸方向となす角度をθiとし、さらに該射出面を通過した後にｚ軸方向となす角度をθeとして、θr≦１０°において、常にθe／θｒ＞３であり、θe／θｒの最大値が４より大きく、２０°≦θrにおいて、常にθe／θｒ＜３であるように構成されている。【００１１】
本態様の光学素子は、θr≦１０°において、常にθe／θｒ＞３であり、θe／θｒの最大値が４より大きく、２０°≦θrにおいて、常にθe／θｒ＜３であるように構成されているので、θr≦１０°である光線が、２０°≦θrである光線と比較して、光源から所定の範囲の距離に配置された被照射面のより外側まで到達し、両者が重なってｚ軸から所定の距離の位置で照度のピークが形成される。このため、光源から放出された後、光学素子を通過して被照射面に到達する直接光と、光源から放出された後、光学素子で反射され、さらに反射されて被照射面に到達する間接光とを合わせた光による、光源から所定の範囲の距離に配置された被照射面における照度が、ｚ軸の周辺において高くなりすぎるのが防止され、より均一にすることができる。【００１２】
本発明の第１の実施形態による光学素子においては、原点から、該入射面の該頂点までの距離をｈとし、ａ及びｃを定数として、ｘ軸及びｚ軸を含む断面において、該入射面の、θr≦５°の領域の断面形状を、最小二乗法によって、２次関数
ｚ＝Ａｘ２＋Ｃ
でフィッティングした場合に、
Ａ／ｈ＜−０．２
を満足するように該入射面が構成されている。【００１３】
本実施形態によれば、光源からの直接光と間接光とを合わせた光による、光源から所定の範囲の距離に配置された被照射面における照度が、ｚ軸の周辺において高くなりすぎるのが防止され、より均一にすることができる。【００１４】
本発明の第２の態様による照明装置は、平面に配置された光源と該光源を覆う、本発明の第１の態様による光学素子とを含む。【００１５】
本発明の第２の態様の第１の実施形態の光学素子は、光源から該入射面及び該射出面を通過して、光源から１８ミリメータの位置に配置された被照射面に到達する直接光のｘ軸方向の照度分布が、２個のピークを有するように構成されている。【００１６】
本実施形態によれば、光源からの直接光と間接光とを合わせた光による、光源から所定の範囲の距離に配置された被照射面における照度が、ｚ軸の周辺において高くなりすぎるのが防止され、より均一にすることができる。
【図面の簡単な説明】
【００１７】
【図１】本発明の一実施形態による光学素子(実施例１)の断面を示す図である。
【図２】実施例１に対応する比較例１の光学素子の断面を示す図である。
【図３】実施例１の光学素子と比較例１の光学素子との形状の違いを説明するための図である。
【図４】実施例１及び比較例１について、θｒとθｅとの関係を示す図である。
【図５】実施例１の光学素子による被照射面における照度の分布を示す図である。
【図６】比較例１の光学素子による被照射面における照度の分布を示す図である。
【図７】実施例１及び比較例１について、ｚ軸の座標ｘの変化量に対する直接光による照度ＩＤの変化量の比率を示す図である。
【図８】本発明の他の実施形態による光学素子 (実施例２)の断面を示す図である。
【図９】実施例２について、θｒとθｅとの関係を示す図である。
【図１０】実施例２の光学素子による被照射面における照度の分布を示す図である。
【図１１】実施例１の光学素子と実施例２の光学素子との形状の違いを説明するための図である。
【図１２】実施例１の光学素子による被照射面における照度の分布、及び照度分布のパラメータを示す図である。
【図１３】実施例２の光学素子による被照射面における照度の分布、及び照度分布のパラメータを示す図である。
【図１４】ｃ／ａ＝１．６、ｂ／ｄ＝２．０の照度分布の例を示す図である。
【図１５】ｃ／ａ＝１．６、ｂ／ｄ＝７．０の照度分布の例を示す図である
【図１６】ｃ／ａ＝１．０、ｂ／ｄ＝２．４の照度分布の例を示す図である。
【図１７】ｃ／ａ＝１．０、ｂ／ｄ＝１０．０の照度分布の例を示す図である。
【発明を実施するための形態】
【００１８】
図１は、本発明の一実施形態による光学素子１００Ａ(実施例１)の断面を示す図である。光学素子１００Ａの入射面１０１Ａは、キャップ状であり、光源２０１を覆うように形成され、射出面１０３Ａは、入射面１０１Ａを覆うように形成される。光源２０１の発光面から出た光は、入射面１０１Ａ及び射出面１０３Ａによって拡散された後、光学素子１００Ａの外側に放射される。
【００１９】
ここで、座標について説明する。光学素子１００Ａの中心軸ＡＸをｚ軸とし、ｚ軸と、光源２０１の発光面との交点を原点Ｏとする。また、発光面内に互いに直交するｘ軸及びｙ軸を定める。図１は、本実施形態のｘｚ断面を示す図である。本実施形態の形状は、ｚ軸に関して円対称であり、ｘｚ断面をｚ軸の周りに回転させた形状である。しかし、本発明は、後で説明するようにｚ軸に関して円対称の形状に限定されることはない。
【００２０】
光源２０１は、ｚ軸が発光面の中心を通過するように配置される。光源２０１は、発光ダイオード光源であり、ほぼランバート分布の光線を発光する。光源の直径は、２．６ミリメータであり、ｚ軸方向の厚さは０．６ミリメータである。
【００２１】
発光面から被照射面３０１までの距離は１８ミリメータである。光源２０１が固定される面には、反射シートが備わり、光源２０１から放出されて入射面１０１Ａを通過した後、射出面１０３Ａで反射された光線は、反射シートで反射された後、被照射面３０１に到達する。なお、図１において、光源２０１が固定される面は図示されていない。実際には、この面に光源２０１、及び光学素子１０１Ａが固定される。光学素子１０１Ａは、スペーサを介してこの面に固定されてもよい。
【００２２】
光源２０１、反射シート、及び被照射面３０１は、以下の実施例及び比較例においても同様に配置される。
【００２３】
ｘｚ断面内において原点Ｏからｚ軸とθｒの角度をなす方向に進行する光線が、入射面１０１Ａを通過した後に進行する方向がｚ軸となす角度をθｉとし、さらに、該光線が射出面１０３Ａを通過した後に進行する方向がｚ軸となす角度をθｅとする。射出面１０３Ａを通過した光線は、被照射面３０１に到達する。
【００２４】
表１は、光学素子１００Ａの入射面１０１Ａ及び射出面１０３Ａの形状を示すデータである。具体的に、ＳＡＧ＿Ｘは、ｚ軸から、入射面１０１Ａ、または射出面１０３Ａ上の点までのｘ軸方向の距離を示し、ＳＡＧ＿Ｚは、原点を含むｘｙ面から、入射面１０１Ａ、または射出面１０３Ａ上の点までのｚ軸方向の距離を示す。表１及びその他の表において、長さの単位はミリメータである。
【００２５】
【表１】
2015005424.tif 000003
【００２６】
表１から、入射面１０１Ａの開口部の半径は、１．７９５ミリメータであり、光学素子１００Ａの底面の半径は、６．０８０ミリメータである。
【００２７】
光学素子１００Ａの材料は、PMMA(ポリメタクリル酸メチル)であり、５５０ナノメータの波長の光に対する屈折率は、１．４９３である。
【００２８】
光学素子１００Ａの底面と側面（すなわち、底面に垂直な面）には、シボ加工を施してもよい。
【００２９】
図２は、実施例１に対応する比較例１の光学素子１００Ｘの断面を示す図である。光学素子１００ｘの入射面１０１Ｘは、キャップ状であり、光源２０１を覆うように形成され、射出面１０３Ｘは、入射面１０１Ｘを覆うように形成される。光源２０１の発光面から出た光は、入射面１０１Ｘ及び射出面１０３Ｘによって拡散された後、光学素子１００Ｘの外側に放射される。
【００３０】
ここで、座標について説明する。光学素子１００Ｘの中心軸ＡＸと光源２０１の発光面との交点を原点Ｏとし、原点Ｏを通り該発光面に垂直な直線をｚ軸とする。また、該発光面内に互いに直交するｘ軸及びｙ軸を定める。図２は、本比較例のｘｚ断面を示す図である。本実施形態の形状は、ｚ軸に関して円対称であり、ｘｚ断面をｚ軸の周りに回転させた形状である。
【００３１】
光源２０１は、ｚ軸が発光面の中心を通過するように配置される。
【００３２】
ｘｚ断面内において原点Ｏから進む光線がｚ軸とθｒの角度をなす方向に進行する光線が、入射面１０１Ｘを通過した後に進行する方向がｚ軸となす角度をθｉとし、さらに、該光線が射出面１０３Ｘを通過した後に進行する方向がｚ軸となす角度をθｅとする。
【００３３】
光源２０１から放出されて入射面１０１Ｘを通過した後、射出面１０３Ｘで反射された光線は、反射シートで反射された後、被照射面３０１に到達する。
【００３４】
表２は、比較例１の光学素子１００Ｘの入射面１０１Ｘ及び射出面１０３Ｘの形状を示すデータである。具体的に、ＳＡＧ＿Ｘは、ｚ軸から、入射面１０１Ｘ、または射出面１０３Ｘ上の点までのｘ軸方向の距離を示し、ＳＡＧ＿Ｚは、原点を含むｘｙ面から、入射面１０１Ｘ、または射出面１０３Ｘ上の点までのｚ軸方向の距離を示す。
【表２】
2015005424.tif 000004
【００３５】
表２から、入射面１０１Ｘの開口部の半径は、１．７９５ミリメータであり、光学素子１００Ｘの底面の半径は、６．０８０ミリメータである。すなわち、光学素子１００Ｘの入射面の開口部の半径及び底面の半径は、実施例１の光学素子１００Ａものと同じである。
【００３６】
光学素子１００Ｘの材料は、PMMA(ポリメタクリル酸メチル)であり、５５０ナノメータの波長の光に対する屈折率は、１．４９３である。光学素子１００Ｘの材料及び屈折率は、実施例１の光学素子１００Ａのものと同じである。
【００３７】
光学素子１００Ｘの底面と側面（すなわち、底面に垂直な面）には、シボ加工を施してもよい。
【００３８】
図３は、実施例１の光学素子１００Ａと比較例１の光学素子１００Ｘとの形状の違いを説明するための図である。図３(ａ)は、実施例１の光学素子１００Ａのｘｚ断面のｚ軸周辺の形状を示す図であり、図３(ｂ) は、比較例１の光学素子１００Ｘのｘｚ断面のｚ軸周辺の形状を示す図である。実施例１の光学素子１００Ａの、ｘｚ断面における入射面１０１Ａのｚ軸周辺の勾配(ｚのｘに関する導関数の絶対値)は、比較例１の光学素子１００Ｘの、ｘｚ断面における入射面１０１Ｘのｚ軸周辺の勾配(ｚのｘに関する導関数の絶対値)よりも大きい。
【００３９】
実施例１の光学素子１００Ａの、ｘｚ断面における入射面１０１Ａの、θｒ≦５°における形状を２次関数
ｚ＝Ａｘ２＋Ｃ
でフィッティングすると、
Ａ＝−０．８４３
である。ここで、光源２０１から入射面１０１Ａの頂点までの距離をｈとすると、
ｈ＝３．０であり、
Ａ／ｈ＝−０．２８１
である。
【００４０】
他方、比較例１の光学素子１００Ｘの、ｘｚ断面における入射面１０１Ｘの、θｒ≦５°における形状を２次関数
ｚ＝Ａｘ２＋Ｃ
でフィッティングすると、
Ａ＝−０．２８９
である。ここで、光源２０１から入射面１０１Ａの頂点までの距離をｈとすると、
ｈ＝３．０であり、
Ａ／ｈ＝−０．０９６
である。
【００４１】
この結果、光学素子１００Ａの入射面１０１Ａのｚ軸周辺に入射し、入射面１０１Ａ及び射出面１０３Ａを通過した光線は、比較例１の光学素子１００Ｘの入射面１０１Ｘのｚ軸周辺に入射し、入射面１０１Ｘ及び射出面１０３Ｘを通過した光線よりも、ｚ軸から離れる方向へ向けられる。すなわち、小さなθｒにたいして、光学素子１００Ａのθｅは、光学素子１００Ｘのθｅよりも大きい。
【００４２】
一般的に、入射面の形状は、
Ａ／ｈ＜−０．２
を満たすのが好ましい。
【００４３】
図４は、実施例１及び比較例１について、θｒとθｅとの関係を示す図である。図４の横軸は、θｒを示し、図４の縦軸は、θｒに対するθｅの比を示す。図４の実線は実施例１を表し、図４の破線は比較例１を表す。実施例１の光学素子１００Ａについて、θｒが１０度以下である領域において、θｒに対するθｅの比は常に３より大きく、θｒに対するθｅの比の最大値は約１０である。一般的に、θｒが１０度以下である領域において、θｒに対するθｅの比の最大値は４より大きいのが好ましく、６より大きいのがより好ましい。また、θｒが２０度以上である領域において、θｒに対するθｅの比は常に３より小さい。比較例１の光学素子１００Ｘについて、θｒが１０度以下である領域において、θｒに対するθｅの比の最小値は約２．２であり、θｒに対するθｅの比の最大値は約３．５である。θｒが２０度以上である領域において、実施例１のθｒに対するθｅの比は、比較例１のθｒに対するθｅの比とほぼ等しく、常に３より小さい。
【００４４】
図５は、実施例１の光学素子１００Ａによる被照射面３０１における照度の分布を示す図である。図５の横軸は、ｚ軸からの距離を示し、図５の縦軸は規格化照度を示す。図５の二点鎖線は、光学素子の入射面または射出面で反射されずに直接、被照射面３０１に到達する直接光による照度を示し、破線は、反射シートで反射された後、被照射面３０１に到達する間接光による照度を示し、実線は、直接光及び間接光を合わせた全体光による照度を示す。規格化照度は、全体光による照度の最大値を１とした。
【００４５】
被照射面３０１における照度を計算する際に条件を以下のように定めた。光源２０１の発光面の輝度は一定である。光源２０１及び光学素子１０１Ａが配置される面には反射シートが設置されている。反射シートに入射した光は、98％が反射し、反射光の分布はガウス関数で表現され、ガウス角1度のガウス散乱となる。光学素子１０１Ａの底面及び側面（すなわち、底面に垂直な面）に入射した光は、表面で透過、およびフレネル反射し、透過光と反射光の分布はガウス関数で表現され、ガウス角15度でガウス散乱となる。
【００４６】
図５において、直接光による照度は、ｚ軸から所定の距離において、２個のピークを有する。その理由は、以下のとおりである。実施例１の光学素子１００Ａは、θr≦１０°において、常にθe／θｒ＞３であり、θe／θｒの最大値が４より大きく、２０°≦θrにおいて、常にθe／θｒ＜３であるように構成されているので、θr≦１０°である光線が、２０°≦θrである光線と比較して被照射面のより外側まで到達し、両者が重なってｚ軸から所定の距離の位置で照度のピークが形成される。
【００４７】
図６は、比較例１の光学素子１００Ｘによる被照射面３０１における照度の分布を示す図である。図６の横軸は、ｚ軸からの距離を示し、図６の縦軸は規格化照度を示す。図６の二点鎖線は、反射シートで反射されずに直接、被照射面３０１に到達する直接光による照度を示し、破線は、反射シートで反射された後、被照射面３０１に到達する間接光による照度を示し、実線は、直接光及び間接光を合わせた全体光による照度を示す。規格化照度は、全体光による照度の最大値を１とした。図６において、直接光による照度は、ｚ軸の位置において単一のピークを有する。
【００４８】
図７は、実施例１及び比較例１について、ｚ軸の座標ｘの変化量に対する直接光による照度ＩＤの変化量の比率を示す図である。図７の横軸は、ｚ軸の座標ｘを表し、図７の縦軸は、ｚ軸の座標ｘの変化量Δｘに対する直接光による照度ＩＤの変化量ΔＩＤ（ｘ）の比率ΔＩＤ（ｘ）／Δｘを表す。図７の実線は、実施例１のΔＩＤ（ｘ）／Δｘを表し、図７の破線は、比較例１のΔＩＤ（ｘ）／Δｘを表す。
【００４９】
実施例１のΔＩＤ（ｘ）／Δｘの符号は、横軸に沿って正から負、負から正、及び正から負と３回変化している。このことは、直接光による照度ＩＤが、ｚ軸を中心とするＭ字の分布を有していることを表わしている。他方、比較例１におけるΔＩＤ（ｘ）／Δｘの符号は、横軸に沿って正から負に１回だけ変化している。このことは、直接光による照度ＩＤが、ｚ軸の位置に単一のピークを有する分布を有していることを表わしている。反射光による照度もｚ軸の位置に単一のピークを有する分布を有するので、比較例１の直接光と間接光とを合わせた全体光による照度分布は、図６に示すように、ｚ軸周辺で急峻となり、複数の光源を組み合わせても、ｘ軸方向に均一な照度分布を得るのが困難となる。
【００５０】
図８は、本発明の他の実施形態による光学素子１００Ｂ(実施例２)の断面を示す図である。光学素子１００Ｂの入射面１０１Ｂは、キャップ状であり、光源２０１を覆うように形成され、射出面１０３Ｂは、入射面１０１Ｂを覆うように形成される。光源２０１の発光面から出た光は、入射面１０１Ｂ及び射出面１０３Ｂによって拡散された後、光学素子１００Ｂの外側に放射される。
【００５１】
ここで、座標について説明する。光学素子１００Ｂの中心軸ＡＸと光源２０１の発光面との交点を原点Ｏとし、原点Ｏを通り該発光面に垂直な直線をｚ軸とする。また、発光面内に互いに直交するｘ軸及びｙ軸を定める。図８は、本実施形態のｘｚ断面を示す図である。本実施形態の形状は、ｚ軸に関して円対称である。
【００５２】
光源２０１は、ｚ軸が発光面の中心を通過するように配置される。
【００５３】
ｘｚ断面内において原点Ｏから進む光線がｚ軸とθｒの角度をなす方向に進行する光線が、入射面１０１Ｂを通過した後に進行する方向がｚ軸となす角度をθｉとし、さらに、該光線が射出面１０３Ｂを通過した後に進行する方向がｚ軸となす角度をθｅとする。射出面１０３Ｂを通過した光線は、被照射面３０１に到達する。
【００５４】
光源２０１から放出されて入射面１０１Ｂを通過した後、射出面１０３Ｂで反射された光線は、反射シートで反射された後、被照射面３０１に到達する。
【００５５】
表３は、光学素子１００Ｂの入射面１０１Ｂ及び射出面１０３Ｂの形状を示すデータである。具体的に、ＳＡＧ＿Ｘは、ｚ軸から、入射面１０１Ｂ、または射出面１０３Ｂ上の点までのｘ軸方向の距離を示し、ＳＡＧ＿Ｚは、原点を含むｘｙ面から、入射面１０１Ｂ、または射出面１０３Ｂ上の点までのｚ軸方向の距離を示す。
【００５６】
【表３】
2015005424.tif 000005
【００５７】
表３から、入射面１０１Ｂの底面における開口部の半径は、１．５４７ミリメータであり、光学素子１００Ｂの底面の半径は、６．１３０ミリメータである。
【００５８】
光学素子の材料は、PMMA(ポリメタクリル酸メチル)であり、５５０ナノメータの波長の光に対する屈折率は、１．４９３である。光学素子１００Ｂの材料及び屈折率は、実施例１の光学素子１００Ａのものと同じである。
【００５９】
光学素子１００Ｂの底面と側面（すなわち、底面に垂直な面）には、シボ加工を施してもよい。
【００６０】
実施例２の光学素子１００Ｂの、ｘｚ断面における入射面１０１Ｂの、θｒ≦５°における形状を２次関数
ｚ＝Ａｘ２＋Ｃ
でフィッティングすると、
Ａ＝−０．６１６
である。ここで、光源２０１から入射面１０１Ｂの頂点までの距離をｈとすると、
ｈ＝２．５８であり、
Ａ／ｈ＝−０．２３９
である。
【００６１】
図９は、実施例２について、θｒとθｅとの関係を示す図である。図９の横軸は、θｒを示し、図９の縦軸は、θｒに対するθｅの比を示す。実施例２の光学素子１００Ｂについて、θｒが１０度以下である領域において、θｒに対するθｅの比は常に３より大きく、θｒに対するθｅの比の最大値は約６．５である。また、θｒが２０度以上である領域において、θｒに対するθｅの比は常に３より小さい。
【００６２】
図１０は、実施例２の光学素子１００Ｂによる被照射面３０１における照度の分布を示す図である。図１０の横軸は、ｚ軸からの距離を示し、図１０の縦軸は規格化照度を示す。図１０の二点鎖線は、光学素子の入射面または射出面で反射されずに直接、被照射面３０１に到達する直接光による照度を示し、破線は、反射シートで反射された後、被照射面３０１に到達する間接光による照度を示し、実線は、直接光及び間接光を合わせた全体光による照度を示す。規格化照度は、全体光による照度の最大値を１とした。図１０において、直接光による照度は、ｚ軸から所定の距離において、２個のピークを有する。
【００６３】
図１１は、実施例１の光学素子１００Ａと実施例２の光学素子１００Ｂとの形状の違いを説明するための図である。図１１の横軸は、ｘ軸の座標を表し、図１１の縦軸は、ｚ軸の座標を表す。図１１の実線は、実施例１の光学素子１００Ａのｘｚ断面のｚ軸周辺の形状を示し、図１１の破線は、実施例２の光学素子１００Ｂのｘｚ断面のｚ軸周辺の形状を示す図である。実施例１の光学素子１００Ａの芯厚（ｚ軸に沿った厚さ）Ｔは、０．４５ミリメータであり、実施例２の光学素子１００Ｂの芯厚Ｔは、０．９２ミリメータである。実施例１の光学素子１００Ａは、実施例２の光学素子１００Ｂと比較して芯厚が短いため、入射面と射出面の位置関係から光線を外側に拡げる作用が強い。したがって、実施例１の光学素子１００Ａに関する図５における直接光の２個のピークの位置のｚ軸からの距離は、実施例２の光学素子１００Ｂに関する図１０における直接光の２個のピークの位置のｚ軸からの距離よりも長い。この結果、実施例１の光学素子１００Ａの全体光による照度分布の半値幅は、実施例２の光学素子１００Ｂの全体光による照度分布の半値幅よりも広くなる。
【００６４】
図１２は、実施例１の光学素子１００Ａによる被照射面３０１における照度の分布、及び照度分布のパラメータを示す図である。図１２の照度分布は、図５の照度分布と同じである。照度分布のパラメータａ、ｂ、ｃ及びｄは、以下のように定義する。被照射面における反射光による照度分布の半値半幅の値をaとし、反射光による照度分布のピーク照度の値をbとし、被照射面における直接光の照度分布の２個のピーク値の位置の、ｚ軸からの距離をcとし、直接光の照度分布のピーク値とｚ軸における値との照度の差をｄとする。図１２からパラメータａ、ｂ、ｃ及びｄの値は以下のとおりである。
【００６５】
ａ＝１３．５（ｍｍ）
ｂ＝０．４７
ｃ＝２２．０（ｍｍ）
ｄ＝０．２０
【００６６】
ここで、ｃ／ａは、直接光の分布の広がりに対応する。ｃ／ａが大きいほど、直接光の分布の広がりが大きい。また、ｂ／ｄは、直接光の２個のピークを有する分布の影響の大きさに対応する。ｂ／ｄが小さいほど、直接光の２個のピークを有する分布の影響が大きい。ｃ／ａ及びｂ／ｄの値は、以下のとおりである。
【００６７】
ｃ／ａ＝１．６
ｂ／ｄ＝２．４
したがって、
（ｃ／ａ）・（ｂ／ｄ）＝３．８
である。
【００６８】
図１３は、実施例２の光学素子１００Ｂによる被照射面３０１における照度の分布、及び照度分布のパラメータを示す図である。図１３の照度分布は、図１０の照度分布と同じである。照度分布のパラメータａ、ｂ、ｃ及びｄは、図１２の場合と同様に定義する。図１３からパラメータａ、ｂ、ｃ及びｄの値は以下のとおりである。
【００６９】
ａ＝１３．５（ｍｍ）
ｂ＝０．４０
ｃ＝１３．９（ｍｍ）
ｄ＝０．０９
【００７０】
ｃ／ａ及びｂ／ｄの値は、以下のとおりである。
ｃ／ａ＝１．０
ｂ／ｄ＝４．４
【００７１】
したがって、
（ｃ／ａ）・（ｂ／ｄ）＝４．４
である。
【００７２】
図１４は、ｃ／ａ＝１．６、ｂ／ｄ＝２．０の照度分布の例を示す図である。図１４の場合に（ｃ／ａ）・（ｂ／ｄ）＝３．２である。
【００７３】
図１５は、ｃ／ａ＝１．６、ｂ／ｄ＝７．０の照度分布の例を示す図である。図１５の場合に（ｃ／ａ）・（ｂ／ｄ）＝７．０である。
【００７４】
図１６は、ｃ／ａ＝１．０、ｂ／ｄ＝２．４の照度分布の例を示す図である。図１６の場合に（ｃ／ａ）・（ｂ／ｄ）＝２．４である。
【００７５】
図１７は、ｃ／ａ＝１．０、ｂ／ｄ＝１０．０の照度分布の例を示す図である。図１４の場合に（ｃ／ａ）・（ｂ／ｄ）＝１０．０である。
【００７６】
図１４及び図１５の照度分布のｃ／ａは、実施例１の場合と同じく１．６である。上述のようにｃ／ａ＝１．６の場合は、直接光の分布の広がりが大きい。ｃ／ａ＝１．６の場合に、ｂ／ｄが２．０から７．０まで変化しても、全体光の分布は、広がりが大きく好ましい分布である。
【００７７】
図１６及び図１７の照度分布のｃ／ａは、実施例２の場合と同じく１．０である。上述のようにｃ／ａ＝１．０の場合は、直接光の分布の広がりが比較的小さい。ｃ／ａ＝１．０の場合に、ｂ／ｄが小さいと、図１６に示すように、全体光の分布において、直接光の２個のピークを有する分布の影響が大きくなり好ましくない。
【００７８】
全体光の分布において、直接光の２個のピークを有する分布の影響が目立たないようにするには、
３＜（ｃ／ａ）・（ｂ／ｄ）
であるのが好ましい。
【００７９】
他の好ましい実施形態として、ｚ軸に関して円対称ではない形状でもよい。たとえば、ｚ軸の周りのある角度範囲は、第１の形状（たとえば、実施例１の形状）であり、他の角度範囲は、第１の形状とは異なる第２の形状（たとえば、実施例２の形状）である光学素子であってもよい。
【図１】
2015005424.tif 000006
【図２】
2015005424.tif 000007
【図３】
2015005424.tif 000008
【図４】
2015005424.tif 000009
【図５】
2015005424.tif 000010
【図６】
2015005424.tif 000011
【図７】
2015005424.tif 000012
【図８】
2015005424.tif 000013
【図９】
2015005424.tif 000014
【図１０】
2015005424.tif 000015
【図１１】
2015005424.tif 000016
【図１２】
2015005424.tif 000017
【図１３】
2015005424.tif 000018
【図１４】
2015005424.tif 000019
【図１５】
2015005424.tif 000020
【図１６】
2015005424.tif 000021
【図１７】
2015005424.tif 000022
【国際調査報告】
2015005424.tif 000023
2015005424.tif 000024
2015005424.tif 000025
2015005424.tif 000026